(57)【要約】  【課題】周辺の明るさに対応してパネルの明るさを制御するようにしたプラズマディスプレイパネルの駆動装置及び方法を提供する。  【解決手段】 本発明に係るプラズマディスプレイパネルの駆動方法は、パネルが設置された外部の明るさを感知する段階と、感知された明るさに対応してパネルの輝度を制御する段階と、を含み、本発明に係るプラズマディスプレイパネルの駆動装置は、パネルに形成された電極を駆動させるための多数の駆動部と、駆動部を制御するためのタイミング制御部と、パネルが設置された外部の明るさを感知するための明るさ感知センサーと、を備え、タイミング制御部は、明るさ感知センサーから入力される外部の明るさに対応して駆動部を制御することを特徴とする。  【選択図】図5  
2005165328.tif 000002
【特許請求の範囲】
【請求項１】
パネルが設置された外部の明るさを感知する段階と、
前記感知された明るさに対応して前記パネルの輝度を制御する段階と、を含むことを特徴とするプラズマディスプレイパネルの駆動方法。
【請求項２】
前記パネルの輝度を制御する段階では、前記感知された明るさが第１値よりも低いとき、前記パネルの輝度を暗くし、前記感知された明るさが第２値よりも高いとき、前記パネルの輝度を明るくすることを特徴とする請求項１記載のプラズマディスプレイパネルの駆動方法。
【請求項３】
前記パネルの輝度を制御する段階では、前記感知された明るさが前記第１値よりも低いとき、１フレームに含まれた複数のサブフィールドのいずれか少なくとも一つ以上のサブフィールドにリセットパルスを印加しないことを特徴とする請求項１記載のプラズマディスプレイパネルの駆動方法。
【請求項４】
前記複数のサブフィールドのうち奇数番目のサブフィールドには前記リセットパルスを印加し、その以外のサブフィールドには前記リセットパルスを印加しないことを特徴とする請求項３記載のプラズマディスプレイパネルの駆動方法。
【請求項５】
前記奇数番目のサブフィールドのサステイン期間には消去パルスが供給されないことを特徴とする請求項４記載のプラズマディスプレイパネルの駆動方法。
【請求項６】
前記パネルの輝度を制御する段階は、
前記感知された明るさが第１値以上と判断されるとき、サブフィールドのリセット期間中に第１電圧値を持つリセットパルスを供給する段階と、
前記感知された明るさが前記第１値よりも低いと判断されるとき、前記リセット期間中に第１電圧値と相異なる第２電圧値を持つリセットパルスを供給する段階と、を含むことを特徴とする請求項１記載のプラズマディスプレイパネルの駆動方法。
【請求項７】
前記第２電圧値は、前記第１電圧値の電圧より低い電圧値に設定されることを特徴とする請求項６記載のプラズマディスプレイパネルの駆動方法。
【請求項８】
前記パネルの輝度を制御する段階は、
前記感知された明るさが第１値よりも低いと判断されるとき、前記サブフィールドのサステイン期間に第１数のサステインパルスを供給する段階と、
前記感知された明るさが第２値（＞第１値）よりも高いと判断されるとき、サブフィールドのサステイン期間に第２数（＞第１数）のサステインパルスを供給する段階と、
を含むことを特徴とする請求項１記載のプラズマディスプレイパネルの駆動方法。
【請求項９】
前記感知された明るさが第１値よりも低いと判断されるときにはｉ（ｉは自然数）個のサブフィールドを用いて階調を表現し、
前記感知された明るさが第２値（＞第１値）よりも高いと判断されるときにはｉより小さいｊ（ｊは自然数）個のサブフィールドを用いて階調を表現することを特徴とする請求項８記載のプラズマディスプレイパネルの駆動方法。
【請求項１０】
前記パネルの輝度を制御する段階は、
前記感知された明るさが第１値よりも低いと判断されるとき、ｉ（ｉは自然数）個の階調数を用いて画像の階調を具現し、
前記感知された明るさが第２値（＞第１値）よりも高いと判断されるとき、ｉよりも小さいｊ（ｊは自然数）個の階調数を用いて画像の階調を具現する
ことを特徴とする請求項１記載のプラズマディスプレイパネルの駆動方法。
【請求項１１】
パネルに形成された電極を駆動させるための複数の駆動部と、
前記駆動部を制御するためのタイミング制御部と、
前記パネルが設置された外部の明るさを感知するための明るさ感知センサーと、を備え、
前記タイミング制御部は、前記明るさ感知センサーから入力される前記外部の明るさに対応して前記駆動部を制御することを特徴とするプラズマディスプレイパネルの駆動装置。
【請求項１２】
前記タイミング制御部は、
前記明るさ感知センサーから感知された明るさが第１値よりも低いとき、前記パネルが低輝度の画像を表示するように前記駆動部を制御し、
前記明るさ感知センサーから感知された明るさが第２値（＞第１値）よりも高いとき、前記パネルが高輝度の画像を表示するように前記駆動部を制御
することを特徴とする請求項１１記載のプラズマディスプレイパネルの駆動装置。
【請求項１３】
前記タイミング制御部は、
前記感知された明るさが第１値よりも低いとき、１フレームに含まれた複数のサブフィールドのうち少なくとも一つ以上のサブフィールドにリセットパルスが印加されないように駆動部を制御することを特徴とする請求項１１記載のプラズマディスプレイパネルの駆動装置。
【請求項１４】
前記タイミング制御部は、
前記複数のサブフィールドのうち奇数番目のサブフィールドにのみ前記リセットパルスが印加されるように前記駆動部を制御することを特徴とする請求項１３記載のプラズマディスプレイパネルの駆動装置。
【請求項１５】
前記タイミング制御部は、
前記奇数番目のサブフィールドのサステイン期間には消去パルスが供給されないように前記駆動部を制御することを特徴とする請求項１４記載のプラズマディスプレイパネルの駆動装置。
【請求項１６】
前記タイミング制御部は、前記感知された明るさが第１値以上と判断されるとき、駆動部を制御してサブフィールドのリセット期間中に第１電圧値を持つリセットパルスを供給し、
前記感知された明るさが前記第１値未満と判断されるとき、駆動部を制御して前記リセット期間中に前記第１電圧値と相異なる第２電圧値を持つリセットパルスを供給することを特徴とする請求項１１記載のプラズマディスプレイパネルの駆動装置。
【請求項１７】
前記第２電圧値は、前記第１電圧値の電圧より低い電圧値に設定されることを特徴とする請求項１６記載のプラズマディスプレイパネルの駆動装置。
【請求項１８】
前記タイミング制御部は、
前記感知された明るさが第１値より低いと判断されるとき、前記サブフィールドのサステイン期間に第１数のサステインパルスが供給されるように前記駆動部を制御し、
前記感知された明るさが第２値（＞第１値）より高いと判断されるとき、サブフィールドのサステイン期間に第２数（＞第１数）のサステインパルスが供給されるように前記駆動部を制御
することを特徴とする請求項１１記載のプラズマディスプレイパネルの駆動装置。
【請求項１９】
パネルに形成された電極を駆動させるための複数の駆動部と、
外部から供給されるデータを予め格納されたサブフィールドパターンにマッピングして前記複数の駆動部のいずれか一つの駆動部に供給するためのサブフィールドマッピング部と、
前記パネルが設置された外部の明るさを感知するための明るさ感知センサーと、を備え、
前記サブフィールドマッピング部は、前記明るさ感知センサーから入力される前記外部の明るさに対応して階調数が変化するように前記データをマッピングすることを特徴とするプラズマディスプレイパネルの駆動装置。
【請求項２０】
前記サブフィールドマッピング部は、少なくとも２つ以上のサブフィールドテーブルを備えることを特徴とする請求項１９記載のプラズマディスプレイパネルの駆動装置。
【請求項２１】
前記サブフィールドマッピング部は、
前記感知された明るさが第１値より低いと判断されるとき、前記ｉ（ｉは自然数）個の階調数を用いて画像の階調が具現できるように前記データをマッピングし、
前記感知された明るさが第２値（＞第１値）より高いと判断されるとき、ｉより小さいｊ（ｊは自然数）個の階調数を用いて画像の階調が具現できるように前記データをマッピング
することを特徴とする請求項２０記載のプラズマディスプレイパネルの駆動装置。
【請求項２２】
パネルに形成された電極を駆動させるための複数の駆動部と、
外部から供給されるデータのゲインを調整するためのゲイン調整部と、
前記パネルが設置された外部の明るさを感知するための明るさ感知センサーと、を備え、
前記ゲイン調整部は、前記明るさ感知センサーから入力される前記外部の明るさに対応して画像が表示される階調範囲を拡張または縮小するために、ゲイン値を調整することを特徴とするプラズマディスプレイパネルの駆動装置。
【請求項２３】
前記ゲイン調整部は、
前記感知された明るさが第１値より低いと判断されるとき、前記階調範囲が拡張できるように前記ゲイン値を調整し、
前記感知された明るさが第２値（＞第１値）より高いと判断されるとき、前記階調範囲が縮小できるように前記ゲイン値を調整
することを特徴とする請求項２２記載のプラズマディスプレイパネルの駆動装置。
【請求項２４】
前記ゲイン調整部は、前記感知された明るさが第２値（＞第１値）より高いと判断されるときのゲイン値より前記感知された明るさが第１値より低いと判断されるときのゲイン値が、高い値を持つように前記ゲイン値を調整することを特徴とする請求項２３記載のプラズマディスプレイパネルの駆動装置。
【請求項２５】
前記パネルの輝度を制御する段階では、
前記感知された明るさが前記第１値よりも低いとき、１フレームに含まれた複数のサブフィールドのいずれか少なくとも一つ以上のサブフィールドにリセットパルスを印加せず、かつ、
前記感知された明るさが第１値よりも低いと判断されるとき、ｉ（ｉは自然数）個の階調数を用いて画像の階調を具現し、前記感知された明るさが第２値（＞第１値）よりも高いと判断されるとき、ｉよりも小さいｊ（ｊは自然数）個の階調数を用いて画像の階調を具現する、
ことを特徴とする請求項１記載のプラズマディスプレイパネルの駆動方法。
【請求項２６】
前記パネルの輝度を制御する段階は、
前記感知された明るさが第１値よりも低いと判断されるとき、前記サブフィールドのサステイン期間に第１数のサステインパルスを供給する段階と、前記感知された明るさが第２値（＞第１値）よりも高いと判断されるとき、サブフィールドのサステイン期間に第２数（＞第１数）のサステインパルスを供給する段階とを含むとともに、
前記感知された明るさが第１値よりも低いと判断されるとき、ｉ（ｉは自然数）個の階調数を用いて画像の階調を具現し、前記感知された明るさが第２値（＞第１値）よりも高いと判断されるとき、ｉよりも小さいｊ（ｊは自然数）個の階調数を用いて画像の階調を具現することを特徴とする請求項１記載のプラズマディスプレイパネルの駆動方法。
【請求項２７】
パネルに形成された電極を駆動させるための複数の駆動部と、
前記駆動部を制御するためのタイミング制御部と、
外部から供給されるデータを予め格納されたサブフィールドパターンにマッピングして前記複数の駆動部のいずれか一つの駆動部に供給するためのサブフィールドマッピング部と、
前記パネルが設置された外部の明るさを感知するための明るさ感知センサーと、を備え、
前記サブフィールドマッピング部は、前記明るさ感知センサーから入力される前記外部の明るさに対応して階調数が変化するように前記データをマッピングし、
前記タイミング制御部は、
前記感知された明るさが第１値よりも低いとき、１フレームに含まれた複数のサブフィールドのうち少なくとも一つ以上のサブフィールドにリセットパルスが印加されないように駆動部を制御することを特徴とするプラズマディスプレイパネルの駆動装置。
【請求項２８】
パネルに形成された電極を駆動させるための複数の駆動部と、
前記駆動部を制御するためのタイミング制御部と、
外部から供給されるデータのゲインを調整するためのゲイン調整部と、
前記パネルが設置された外部の明るさを感知するための明るさ感知センサーと、を備え、
前記ゲイン調整部は、前記明るさ感知センサーから入力される前記外部の明るさに対応して画像が表示される階調範囲を拡張または縮小するために、ゲイン値を調整し、
前記タイミング制御部は、
前記感知された明るさが第１値よりも低いとき、１フレームに含まれた複数のサブフィールドのうち少なくとも一つ以上のサブフィールドにリセットパルスが印加されないように駆動部を制御することを特徴とするプラズマディスプレイパネルの駆動装置。
【請求項２９】
パネルに形成された電極を駆動させるための複数の駆動部と、
前記駆動部を制御するためのタイミング制御部と、
外部から供給されるデータを予め格納されたサブフィールドパターンにマッピングして前記複数の駆動部のいずれか一つの駆動部に供給するためのサブフィールドマッピング部と、
前記パネルが設置された外部の明るさを感知するための明るさ感知センサーと、を備え、
前記サブフィールドマッピング部は、前記明るさ感知センサーから入力される前記外部の明るさに対応して階調数が変化するように前記データをマッピングし、
前記タイミング制御部は、
前記感知された明るさが第１値より低いと判断されるとき、前記サブフィールドのサステイン期間に第１数のサステインパルスが供給されるように前記駆動部を制御し、
前記感知された明るさが第２値（＞第１値）より高いと判断されるとき、サブフィールドのサステイン期間に第２数（＞第１数）のサステインパルスが供給されるように前記駆動部を制御することを特徴とすることを特徴とするプラズマディスプレイパネルの駆動装置。
【請求項３０】
パネルに形成された電極を駆動させるための複数の駆動部と、
前記駆動部を制御するためのタイミング制御部と、
外部から供給されるデータのゲインを調整するためのゲイン調整部と、
前記パネルが設置された外部の明るさを感知するための明るさ感知センサーと、を備え、
前記ゲイン調整部は、前記明るさ感知センサーから入力される前記外部の明るさに対応して画像が表示される階調範囲を拡張または縮小するために、ゲイン値を調整し、
前記タイミング制御部は、
前記感知された明るさが第１値より低いと判断されるとき、前記サブフィールドのサステイン期間に第１数のサステインパルスが供給されるように前記駆動部を制御し、
前記感知された明るさが第２値（＞第１値）より高いと判断されるとき、サブフィールドのサステイン期間に第２数（＞第１数）のサステインパルスが供給されるように前記駆動部を制御することを特徴とするプラズマディスプレイパネルの駆動装置。
【発明の詳細な説明】
【技術分野】
【０００１】
本発明は、プラズマディスプレイパネルの駆動装置及び方法に係り、周辺の明るさに対応してパネルの明るさを制御するようにしたプラズマディスプレイパネルの駆動装置及び方法に関する。
【背景技術】
【０００２】
プラズマディスプレイパネル（Plasma Display Panel：以下、「ＰＤＰ」という）は、Ｈｅ＋Ｘｅ、Ｎｅ＋ＸｅまたはＨｅ＋Ｘｅ＋Ｎｅなどの不活性混合ガスの放電時に発生する１４７ｎｍの紫外線によって蛍光体を発光させることにより、文字またはグラフィックを含む画像を表示する。このようなＰＤＰは、薄膜化と大型化が容易であるうえ、最近の技術開発に励まされて大きく向上した画質を提供する。特に、３電極交流面放電型ＰＤＰは、放電時に表面に壁電荷が蓄積され、放電によって発生するスパッタリングから電極を保護するので、低電圧での駆動が可能で且つ長寿命であるという長所を有する。
【０００３】
図１を参照すれば、３電極交流面放電型ＰＤＰの放電セルは、上部基板１０上に形成された走査電極Ｙ及び維持電極Ｚと、下部基板１８上に形成されたアドレス電極Ｘと、を備える。走査電極Ｙおよび維持電極Ｚのそれぞれは、透明電極１２Ｙ、１２Ｚと、透明電極１２Ｙ、１２Ｚの線幅より小さな線幅を有し、透明電極の一側縁に形成される金属バス電極１３Ｙ、１３Ｚと、を含む。
【０００４】
透明電極１２Ｙ、１２Ｚは、通常インジウムスズ酸化物（Indium-Tin-Oxide：ＩＴＯ）で上部基板１０上に形成される。金属バス電極１３Ｙ、１３Ｚは、通常クロム（Ｃｒ）などの金属で透明電極１２Ｙ、１２Ｚ上に形成され、高抵抗の透明電極１２Ｙ、１２Ｚによる電圧降下を減らす役目をする。走査電極Ｙおよび維持電極Ｚが並んで形成された上部基板１０には、上部誘電体層１４および保護膜１６が積層される。上部誘電体層１４にはプラズマ放電時に発生した壁電荷が蓄積される。保護膜１６は、プラズマ放電時に発生したスパッタリングによる上部誘電体層１４の損傷を防止すると共に、２次電子の放出効率を高める。保護膜１６としては通常酸化マグネシウム（ＭｇＯ）が用いられる。
【０００５】
アドレス電極Ｘの形成された下部基板１８上には、下部誘電体層２２と隔壁２４が形成され、下部誘電体層２２および隔壁２４の表面には、蛍光体層２６が塗布される。アドレス電極Ｘは走査電極Ｙ及び維持電極Ｚと交差する方向に形成される。隔壁２４は、アドレス電極Ｘに並んで形成され、放電によって生成された紫外線及び可視光が隣接した放電セルに漏洩することを防止する。蛍光体層２６は、プラズマ放電時に発生した紫外線によって励起し、赤色、緑色または青色のいずれか一つの可視光線を発生させる。上／下部基板１０、１８と隔壁２４との間に設けられた放電空間には、不活性混合ガスが注入される。
【０００６】
ＰＤＰは、画像の階調を具現するために、１フレームを発光回数の異なる複数のサブフィールドに分けて時分割駆動を行う。各サブフィールドは、全画面を初期化するための初期化期間と、走査ラインを選択して選択された走査ラインでセルを選択するためのアドレス期間と、放電回数によって階調を具現するサステイン期間と、に分けられる。
【０００７】
ここで、初期化期間は、上昇ランプ波形が供給されるセットアップ期間と、降下ランプ波形が供給されるセットダウン期間と、に分けられる。例えば、２５６階調で画像を表示しようとする場合、図２のように、１／６０秒に該当するフレーム期間（１６.６７ｍｓ）は、８つのサブフィールドＳＦ１〜ＳＦ８に分けられる。８つのサブフィールドＳＦ１〜ＳＦ８のそれぞれは、前述したように初期化期間とアドレス期間とサステイン期間とに分けられる。各サブフィールドの初期化期間およびアドレス期間は各サブフィールド毎に同一である反面、サステイン期間は各サブフィールドにおいて２n（ただし、ｎ＝０、１、２、３、４、５、６、７）の割合で増加する。
【０００８】
図３は、従来のプラズマディスプレイパネルの駆動装置を示す図である。
【０００９】
図３を参照すれば、従来のＰＤＰの駆動装置は、パネル３０に設置されたアドレス電極Ｘ１〜Ｘｍを駆動するためのアドレス駆動部３２と、パネル３０に設置された走査電極Ｙ１〜Ｙｎを駆動するための走査駆動部３４と、パネル３０に設置された維持電極Ｚ１〜Ｚｎを駆動するための維持駆動部３６と、駆動部３２、３４、３６に駆動電圧を供給するための駆動電圧発生部４０と、駆動部３２、３４、３６に制御信号ＳＣＳ１〜ＳＣＳ３を供給するためのタイミング制御部３８と、を備える。
【００１０】
駆動電圧発生部４０は、図４のような駆動波形が生成されるように多様な駆動電圧を生成してアドレス駆動部３２、走査駆動部３４及び維持駆動部３６に供給する。例えば、駆動電圧発生部４０は、Ｖｅｓｔｕｐ、−Ｖｗ、Ｖｒ及びＶｓなどの電圧を生成して走査駆動部３４に供給し、Ｖｓ電圧を生成して維持駆動部３６に供給する。また、駆動電圧発生部４０は、Ｖａの電圧を生成してアドレス駆動部３２に供給する。
【００１１】
タイミング制御部３８は、図４のような駆動波形が生成されるように多様なスイチング制御信号を生成してアドレス駆動部３２、走査駆動部３４及び維持駆動部３６に供給する。例えば、タイミング制御部３８は、第１スイチング制御信号ＳＣＳ１を生成して走査駆動部３４に供給し、第２スイチング制御信号ＳＣＳ２を生成して維持駆動部３６に供給する。また、タイミング制御部３８は、第３スイチング制御信号ＳＣＳ３及びデータクロックＤＣＬＫを生成してアドレス駆動部３２に供給する。
【００１２】
アドレス駆動部３２は、タイミング制御部３８から供給されるデータクロックＤＣＬＫ及び第３スイチング制御信号ＳＣＳ３によって制御されながら、外部から供給される映像データｄａｔａをアドレス電極Ｘ１〜Ｘｍに供給する。
【００１３】
走査駆動部３４は、タイミング制御部３８から供給される第１スイチング制御信号ＳＣＳ１によって制御されながら、リセットパルス、スキャンパルスｓｃａｎ及びサステインパルスｓｕｓを走査電極Ｙ１〜Ｙｍに供給する。
【００１４】
維持駆動部３６は、タイミング制御部３８から供給される第２スイチング制御信号ＳＣＳ２によって制御されながら、正極性電圧Ｖｓ、サステインパルスｓｕｓ及び消去パルスｅｒａｓｅを維持電極Ｚ１〜Ｚｍに供給する。
【００１５】
電極に供給される駆動波形を図４を参照して詳しく説明すると、先ず、初期化期間のうちセットアップ期間では、すべての走査電極Ｙに上昇ランプ波形Ｒａｍｐ−ｕｐが同時に印加される。この上昇ランプ波形Ｒａｍｐ−ｕｐによって全画面のセル内には微弱な放電が起こってセル内に壁電荷が生成される。セットダウン期間では、上昇ランプ波形Ｒａｍｐ−ｕｐが供給された後、上昇ランプ波形Ｒａｍｐ−ｕｐのピーク電圧より低い正極性電圧から落ちる降下ランプ波形Ｒａｍｐ−ｄｏｗｎが走査電極Ｙに同時に印加される。降下ランプ波形Ｒａｍｐ−ｄｏｗｎは、セル内に微弱な消去放電を起こすことにより、セットアップ放電によって生成された壁電荷及び空間電荷のうち不要な電荷を消去させ、全画面のセル内にアドレス放電に必要な壁電荷を均一に残留させる。
【００１６】
アドレス期間では、負極性スキャンパルスｓｃａｎが走査電極Ｙに順次に印加されるとと同時に、アドレス電極Ｘに正極性のデータパルスｄａｔａが印加される。このスキャンパルスｓｃａｎとデータパルスｄａｔａとの電圧差と初期化期間に生成された壁電圧が加えられることにより、データパルスｄａｔａが印加されるセル内ではアドレス放電が発生する。アドレス放電によって選択されたセル内には壁電荷が生成される。
【００１７】
一方、セットダウン期間とアドレス期間中に維持電極Ｚにはサステイン電圧レベルＶｓの正極性直流電圧が供給される。
【００１８】
サステイン期間では、走査電極Ｙと維持電極Ｚに交互にサステインパルスｓｕｓが印加される。そうすると、アドレス放電によって選択されたセルはセル内の壁電圧とサステインパルスｓｕｓが加えられることにより、サステインパルスｓｕｓが印加される度に走査電極Ｙと維持電極Ｚとの間に面放電型のサステイン放電が起こる。最後に、サステイン放電が終了した後には、パルス幅の短い消去ランプ波形ｅｒａｓｅが維持電極Ｚに供給されてセル内の壁電荷を消去させる。
【００１９】
このような従来のＰＤＰでは、外部の明るさと関係なくパネル３０の輝度が制御される。しかし、このように外部の明るさと関係なくパネル３０の輝度が制御されると、観察者に最上の画面を提供することができない。
【００２０】
例えば、外部の明るさが暗い場合、パネル３０で生成される小さな光も明るく感じられる。したがって、外部の明るさが暗い場合、パネル３０で表現されるブラック輝度を極めて低くする必要がある（すなわち、パネル３０の周辺環境が暗い場合、ブラック輝度が極めて低くなければ、観察者はブラック画面をよく感知することができない）。言い換えれば、外部の明るさが暗い場合、パネル３０の画像を制御して暗くする必要があるが、従来では外部の明るさと関係なくパネル３０の輝度が制御されるので、最適の輝度を提供することができない。
【００２１】
また、外部の明るさが明るい場合、観察者はパネル３０で生成される明るい光の階調をよく感知することができない。したがって、外部の明るさが明るい場合、パネル３０で表現されるホワイト輝度を高くする必要がある（すなわち、パネル３０の周辺環境が明るい場合、ホワイト輝度が極めて高くなければ、観察者はホワイト画面をよく感知することができない）。言い換えれば、外部の明るさが明るい場合、パネル３０の画像を制御して明るくする必要があるが、従来では外部の明るさと関係なくパネル３０の輝度が制御されるので、最適の輝度を提供することができない。
【発明の開示】
【発明が解決しようとする課題】
【００２２】
本発明は、かかる従来の問題点を解決するためのもので、その目的は、周辺の明るさに対応してパネルの明るさを制御するようにしたプラズマディスプレイパネルの駆動装置及び方法を提供することにある。
【課題を解決するための手段】
【００２３】
本発明に係るプラズマディスプレイパネルの駆動方法は、パネルが設置された外部の明るさを感知する段階と、感知された明るさに対応してパネルの輝度を制御する段階と、を含むことを特徴とする。
【００２４】
前記パネルの輝度を制御する段階では、感知された明るさが明るいとき、パネルの輝度を明るくし、感知された明るさが暗いとき、パネルの輝度を暗くする。
【００２５】
前記パネルの輝度を制御する段階では、感知された明るさが暗いとき、１フレームに含まれた複数のサブフィールドのいずれか少なくとも一つ以上のサブフィールドにリセットパルスを印加しない。
【００２６】
前記複数のサブフィールドのうち奇数番目のサブフィールドにはリセットパルスを印加し、その以外のサブフィールドにはリセットパルスを印加しない。
【００２７】
前記奇数番目のサブフィールドのサステイン期間には消去パルスが供給されない。
【００２８】
前記パネルの輝度を制御する段階は、感知された明るさが暗くないと判断されるとき、サブフィールドのリセット期間中に第１電圧値を持つリセットパルスを供給する段階と、感知された明るさが暗いと判断されるとき、リセット期間中に第１電圧値と相異なる第２電圧値を持つリセットパルスを供給する段階と、を含む。
【００２９】
前記第２電圧値は、第１電圧値の電圧より低い電圧値に設定される。
【００３０】
前記パネルの輝度を制御する段階は、感知された明るさが明るいと判断されるとき、サブフィールドのサステイン期間に多数のサステインパルスを供給する段階と、感知された明るさが暗いと判断されるとき、サブフィールドのサステイン期間に少数のサステインパルスを供給する段階を含む。
【００３１】
前記感知された明るさが暗いと判断されるときにはｉ（ｉは自然数）個のサブフィールドを用いて階調を表現し、感知された明るさが明るいと判断されるときには多数のサステインパルスが供給できる時間を確保するためにｉより小さいｊ（ｊは自然数）個のサブフィールドを用いて階調を表現する。
【００３２】
前記パネルの輝度を制御する段階は、感知された明るさが明るいと判断されるとき、ｊ（ｊは自然数）個の階調数を用いて画像の階調を具現し、感知された明るさが暗いと判断されるとき、ｊより大きいｉ（ｉは自然数）個の階調数を用いて画像の階調を具現する。
【００３３】
本発明に係るプラズマディスプレイパネルの駆動装置は、パネルに形成された電極を駆動させるための多数の駆動部と、駆動部を制御するためのタイミング制御部と、パネルが設置された外部の明るさを感知するための明るさ感知センサーと、を備え、タイミング制御部は、明るさ感知センサーから入力される外部の明るさに対応して駆動部を制御する。
【００３４】
前記タイミング制御部は、明るさ感知センサーから感知された明るさが明るいとき、パネルが高輝度の画像を表示するように駆動部を制御し、明るさ感知センサーから感知された明るさの暗いとき、パネルが低輝度の画像を表示するように駆動部を制御する。
【００３５】
前記タイミング制御部は、感知された明るさが暗いとき、１フレームに含まれた複数のサブフィールドのうち少なくとも一つ以上のサブフィールドにリセットパルスが印加されないように駆動部を制御する。
【００３６】
前記タイミング制御部は、複数のサブフィールドのうち奇数番目のサブフィールドにのみセットパルスが印加されるように駆動部を制御する。
【００３７】
前記タイミング制御部は、奇数番目のサブフィールドのサステイン期間には消去パルスが供給されないように駆動部を制御する。
【００３８】
前記タイミング制御部は、感知された明るさが暗くないと判断されるとき、駆動部を制御してサブフィールドのリセット期間中に第１電圧値を持つリセットパルス供給し、感知された明るさが暗いと判断されるとき、駆動部を制御してリセット期間中に第１電圧値と相異なる第２電圧値を持つリセットパルスを供給する。
【００３９】
前記第２電圧値は、第１電圧値の電圧より低い電圧値に設定される。
【００４０】
前記タイミング制御部は、感知された明るさが明るいと判断されるとき、サブフィールドのサステイン期間に多数のサステインパルスが供給されるように駆動部を制御し、感知された明るさが暗いと判断されるとき、サブフィールドのサステイン期間に少数のサステインパルスが供給されるように駆動部を制御する。
【００４１】
本発明に係るプラズマディスプレイパネルの駆動装置は、パネルに形成された電極を駆動させるための多数の駆動部と、外部から供給されるデータを予め格納されたサブフィールドパターンにマッピングして多数の駆動部のいずれか一つの駆動部に供給するためのサブフィールドマッピング部と、パネルが設置された外部の明るさを感知するための明るさ感知センサーと、を備え、サブフィールドマッピング部は、明るさ感知センサーから入力される外部の明るさに対応して階調数が変化するようにデータをマッピングすることを特徴とする。
【００４２】
前記サブフィールドマッピング部は、データが多様な階調数にマッピングできるように少なくとも２つ以上のサブフィールドテーブルを備える。
【００４３】
前記サブフィールドマッピング部は、感知された明るさが明るいと判断されるとき、ｊ（ｊは自然数）個の階調数を用いて画像の階調が具現できるようにデータをマッピングし、感知された明るさが暗いと判断されるとき、ｊより大きいｉ（ｉは自然数）個の階調数を用いて画像の階調が具現できるようにデータをマッピングする。
【００４４】
本発明に係るプラズマディスプレイパネルの駆動装置は、パネルに形成された電極を駆動させるための多数の駆動部と、外部から供給されるデータのゲインを調整するためのゲイン調整部と、パネルが設置された外部の明るさを感知するための明るさ感知センサーと、を備え、ゲイン調整部は、明るさ感知センサーから入力される外部の明るさに対応して画像が表示される階調範囲を拡張または縮小するために、ゲイン値を調整することを特徴とする。
【００４５】
前記ゲイン調整部は、感知された明るさが明るいと判断されるとき、階調範囲が縮小できるようにゲイン値を調整し、感知された明るさが暗いと判断されるとき、階調範囲が拡張できるようにゲイン値を調整する。
【００４６】
前記ゲイン調整部は、感知された明るさが明るいと判断されるときのゲイン値より感知された明るさが暗いと判断されるときのゲイン値が、高い値を持つようにゲイン値を調整する。
【発明の効果】
【００４７】
本発明に係るプラズマディスプレイパネルの駆動装置及び方法によれば、パネルの設置された場所が明るければ画像を明るく表示し、パネルの設置された場所が暗ければ画像を暗く表示することにより、周辺環境に対応する最適の輝度を提供することができる。
【発明を実施するための最良の形態】
【００４８】
以下、本発明の実施形態を添付図を参照して詳しく説明する。
【００４９】
図５は、本発明の実施形態に係るプラズマディスプレイパネルの駆動装置を示す図である。
【００５０】
図５を参照すれば、本発明の実施形態に係るＰＤＰの駆動装置は、パネル５０に設置されたアドレス電極Ｘ１〜Ｘｍを駆動するためのアドレス駆動部５２と、パネル５０に設置された走査電極Ｙ１〜Ｙｎを駆動するための走査駆動部５４と、パネル５０に設置された維持電極Ｚ１〜Ｚｎを駆動するための維持駆動部５６と、駆動部５２、５４、５６に駆動電圧を供給するための駆動電圧発生部６０と、駆動部５２、５４、５６に制御信号ＳＣＳ１〜ＳＣＳ３を供給するためのタイミング制御部５８と、パネル５０が設置された場所の明るさを感知するための明るさ感知センサー６２と、を備える。
【００５１】
駆動電圧発生部６０は、多様な電圧の駆動波形が生成できるように多様な電圧を生成してアドレス駆動部５２、走査駆動部５４及び維持駆動部５６に供給する。
【００５２】
明るさ感知センサー６２は、パネル５０が駆動される外部の明るさ（Ｌｕｘ）を感知し、感知された明るさに対応する信号をタイミング制御部５８に供給する。
【００５３】
タイミング制御部５８は、駆動部５２、５４、５６で駆動波形が生成できるように多様なスイチング制御信号を生成してアドレス駆動部５２、走査駆動部５４及び維持駆動部５６に供給する。例えば、タイミング制御部５８は、第１スイチング制御信号ＳＣＳ１を生成して走査駆動部５４に供給し、第２スイチング制御信号ＳＣＳ２を生成して維持駆動部５６に供給する。また、タイミング制御部５８は、第３スイチング制御信号ＳＣＳ３を生成してアドレス駆動部５２に供給する。ここで、タイミング制御部５８は、明るさ感知センサー６２から供給される信号に対応して多様な駆動波形が供給できるようにスイチング制御信号ＳＣＳ１〜ＳＣＳ３を生成する。実際にタイミング制御部５８の制御によって供給される駆動波形は後述することにする。
【００５４】
アドレス駆動部５２は、タイミング制御部５８から供給される第３スイチング制御信号ＳＣＳ３によって制御されながら、外部から供給される映像データｄａｔａをアドレス電極Ｘ１〜Ｘｍに供給する。
【００５５】
走査駆動部５４は、タイミング制御部５８から供給される第１スイチング制御信号ＳＣＳ１によって制御されながら、リセットパルス、スキャンパルスｓｃａｎ及びサステインパルスｓｕｓを走査電極Ｙ１〜Ｙｍに供給する。
【００５６】
維持駆動部５６は、タイミング制御部５８から供給される第２スイチング制御信号ＳＣＳ２によって制御されながら、正極性電圧Ｖｓ、サステインパルスｓｕｓ及び消去パルスｅｒａｓｅを維持電極Ｚ１〜Ｚｍに供給する。
【００５７】
一方、本発明の駆動装置は、逆ガンマ調整部６４、ゲイン調整部６６、誤差拡散部６８、サブフィールドマッピング部７０及びデータ整列部７２を備える。
【００５８】
逆ガンマ調整部６４は、外部から入力されるデジタルデータＲＧＢを逆ガンマ補正して映像信号の階調に対する輝度を線形的に変換させる。ゲイン調整部６６は、赤色、緑色及び青色の各データ別に有効利得を調整して色温度を補償する。誤差拡散部６８は、ゲイン調整部６６から入力されるデジタルビデオデータＲＧＢの量子化誤差を隣接したセルに拡散させることで輝度値を微細に調整する。サブフィールドマッピング部７０は、誤差拡散部６８から入力されたデータを各ビット別に予め格納されたサブフィールドパターンにマッピングし、そのマッピングデータをデータ整列部７２に供給する。データ整列部７２は、サブフィールドマッピング部７０から入力されるデジタルビデオデータを再整列してアドレス駆動部５２に供給する。
【００５９】
このような本発明の駆動装置においてタイミング制御部５８の制御によって供給される駆動波形を詳しく説明すると、次のようになる。
【００６０】
先ず、タイミング制御部５８は、明るさ感知センサー６２から外部の明るさの入力を受ける。ここで、明るさ感知センサー６２から入力された外部の明るさが暗い（明るさの値がＰ１よりも低い）と判断されると、タイミング制御部５８は、図６のように複数のサブフィールド（図６では１２個のサブフィールド）のうち少なくとも一つ以上のサブフィールドでリセットパルスを印加しないことにより、ブラック輝度を暗く制御する。
【００６１】
例えば、タイミング制御部５８は、図６に示すように、奇数番目のサブフィールドＳＦ１、ＳＦ３、ＳＦ５、...、ＳＦ１１にはリセットパルスを印加し、偶数番目のサブフィールドＳＦ２、ＳＦ４、ＳＦ６、...、ＳＦ１２にはリセットパルスを印加しない。このように奇数番目のサブフィールドＳＦ１、ＳＦ３、ＳＦ５、...、ＳＦ１１にのみリセットパルスが印加されると、１フレーム中にリセットパルスによって発生する光の量が減り、これによりコントラストを向上させることができる。特に、外部の明るさが暗い場合、奇数番目のサブフィールドＳＦ１、ＳＦ３、ＳＦ５、...、ＳＦ１１でのみリセットパルスが印加されると、ブラック輝度が極めて暗くなり、観察者が暗い画面を容易に観察することができる。
【００６２】
一方、奇数番目のサブフィールドＳＦ１、ＳＦ３、ＳＦ５、...、ＳＦ１１にのみリセットパルスが印加されると、偶数番目のサブフィールドＳＦ２、ＳＦ４、ＳＦ６、...、ＳＦ１２で放電が不安定になるおそれがある。したがって、本発明では、図７に示すように、奇数番目のサブフィールドＳＦ１、ＳＦ３、ＳＦ５、...、ＳＦ１１のサステイン期間に消去パルスを供給しない。このように消去パルスが供給されなければ、放電セルの壁電荷が消去されないので、この壁電荷を用いて次のサブフィールドでアドレス動作を行うことができる。一方、サステイン期間を除いた初期化期間及びアドレス期間に供給される駆動波形は、図４に示した本発明の従来技術と同一であるので、詳細な説明は省略する。
【００６３】
また、明るさ感知センサー６２から入力された外部の明るさが暗い（Ｐ１よりも低い）と判断されると、タイミング制御部５８は、図８のようにリセットパルス、すなわち上昇ランプパルスＲａｍｐ−ｕｐ及び降下ランプパルスＲａｍｐ−ｄｏｗｎの電圧値を低下させてブラック輝度をさらに暗くすることができる。
【００６４】
言い換えれば、タイミング制御部５８は、外部の明るさが暗くない（Ｐ１以上）と判断されると、第１電圧Ｖｅｓｔｕｐ１を持つリセットパルスを印加して放電セルを初期化させる。また、タイミング制御部５８は、外部の明るさが暗い（Ｐ１よりも低い）と判断されると、第１電圧Ｖｅｓｔｕｐ１より低い第２電圧Ｖｅｓｔｕｐ２を持つリセットパルスを印加して放電セルを初期化させる。ここで、低い電圧Ｖｅｓｔｕｐ２を持つリセットパルスが印加されると、リセットパルスによって発生する光の量が減り、これによりコントラストを向上させることができる。
【００６５】
また、タイミング制御部５８は、外部の明るさに対応して最適輝度の画面が表示できるようにサステインパルスの数を調整することができる。言い換えれば、タイミング制御部５８は、外部の明るさが明るい（明るさの値がＰ２（＞Ｐ１）よりも高い）と判断されると、それぞれのサブフィールドにより多くのサステインパルスが供給されるように制御する。例えば、タイミング制御部５８は、外部の明るさが明るいと判断されると、図９ａのように特定サブフィールドから走査電極Ｙにｊ（ｊは自然数）個のサステインパルスを供給する（ここで、維持電極Ｚには走査電極Ｙと交互にサステインパルスが供給される）。このように外部の明るさが明るいとき、多くのサステインパルスが供給されると、パネル５０に表示される画像の輝度が増加して観察者が容易に明るい画面を感知することができる。すなわち、本発明では、外部の明るさが明るい場合、多くのサステインパルスを供給することにより、観察者に最適の輝度を提供することができる。
【００６６】
また、タイミング制御部５８は、外部の明るさが暗いと判断されると、それぞれのサブフィールドに少ないサステインパルスが供給されるように制御する。例えば、タイミング制御部５８は、外部の明るさが暗いと判断されると、図９ｂのように前記特定サブフィールドから走査電極Ｙにｊより少ないｉ（ｉは自然数）個のサステインパルスを供給する。このように外部の明るさの暗いとき、少ないサステインパルスが供給されると、パネル５０に表示される画像の輝度が減少して暗い周辺環境でも観察者がパネル５０に表示される画像を容易に感知することができる。すなわち、本発明では、外部の明るさが暗い場合、少ないサステインパルスを供給することにより、観察者に最適の輝度を提供することができる。外部の明るさがＰ１以上Ｐ２以下では、ｋ（ｉ＜ｋ＜ｊ）個のサステインパルスが供給されるようにする。
【００６７】
一方、本発明では、外部の明るさが明るい場合、多数（ｊ個）のサステインパルスを供給する。しかし、定められたサブフィールド期間に供給し得るサステインパルスの数には限界がある。したがって、本発明では、多数（ｊ個）のサステインパルスが供給される場合、１フレームに含まれるサブフィールドのうち少なくとも一つ以上のサブフィールドを除去することができる。例えば、画面が正常に表示されるとき（Ｐ２以下）には１２個のサブフィールドを用いて階調を表現し、外部の明るさが明るい（Ｐ２よりも高い）場合には１０個のサブフィールドを用いて階調を表現する。ここで、２個のサブフィールドの時間分だけのサステインパルスの数をさらに供給し、外部の明るさが明るい場合、パネル５０に表示される輝度を上昇させる。
【００６８】
図１０は、本発明の他の実施形態に係るプラズマディスプレイパネルの駆動装置を示す図である。
【００６９】
図１０を参照すれば、本発明の他の実施形態に係るＰＤＰの駆動装置は、図５に示した本発明の実施形態と同一の構成部を含む。ただし、本発明の他の実施形態に係るＰＤＰの駆動装置において明るさ感知センサー６２からの信号がサブフィールドマッピング部７０に供給される。
【００７０】
サブフィールドマッピング部７０は、明るさ感知センサー６２から外部の明るさ(（Ｌｕｘ）に対応する信号の入力を受ける。明るさに対応する信号の供給を受けたサブフィールドマッピング部は、明るさに対応するように階調数を調整する。これを詳しく説明すれば、先ず、周辺の明るさが暗い場合には小さな明るさの差も容易に見分けられる。したがって、階調数が不足な場合、画質の低下が低下が容易に見られる。したがって、サブフィールドマッピング部７０は、周辺の明るさが暗い場合、多くの階調数を用いて画像が表示できるようにデータをマッピングする。例えば、サブフィールドマッピング部７０は、周辺の明るさが暗い場合、画像が１０２４の階調で表示されるようにサブフィールドをマッピングする。
【００７１】
また、周辺の明るさが明るい場合には階調数を多く使用しなくても観察者の目では明るさの差が容易に見分けられない。したがって、サブフィールドマッピング部７０は、周辺の明るさがＰ２（＞Ｐ１）よりも明るい場合、少ない階調数ｇ２（＜ｇ１）を用いて画像が表示できるようにデータをマッピングする（この場合、階調数は多様な外部要件及び環境等によって設定される）。例えば、サブフィールドマッピング部７０は、周辺の明るさが明るい場合、画像が２５６の階調で表示されるようにサブフィールドをマッピングする。
【００７２】
このために、サブフィールドマッピング部７０は、図１１のように少なくとも２つ以上のサブフィールドテーブル７０ａ、７０ｂ、７０ｋを備える。それぞれのサブフィールドテーブル７０ａ、７０ｂ、７０ｋには相異なるサブフィールドマッピングテーブルが格納される。例えば、第１サブフィールドテーブル７０ａは、パネル５０で２５６階調が表示できるようにデータをマッピングする（例えば８個のサブフィールド使用）。また、第２サブフィールドテーブル７０ｂは、パネル５０で５１２階調が表示できるようにデータをマッピングする（例えば１０個のサブフィールド使用）。また、第ｋサブフィールドテーブル７０ｋは、パネル５０で１０２４階調が表示できるようにデータをマッピングする（例えば１２個のサブフィールド使用）。すなわち、サブフィールドマッピング部７０は、マッピング部７０に格納されたサブフィールドテーブル７０ａ、７０ｂ、７０ｋのうち外部の明るさに対応していずれか一つのサブフィールドテーブル７０ａ、７０ｂ、７０ｋを用いてデータをマッピングすることにより、外部の明るさに対応して階調数を調節するようになる。
【００７３】
図１２は、本発明のまた他の実施形態に係るプラズマディスプレイパネルの駆動装置を示す図である。
【００７４】
図１２を参照すれば、本発明のまた他の実施形態に係るＰＤＰの駆動装置は、図５に示した本発明の実施形態と同一の構成部を含む。ただし、本発明のまた他の実施形態に係るＰＤＰの駆動装置において明るさ感知センサー６２からの信号はゲイン調整部６６に供給される。
【００７５】
ゲイン調整部６６は、明るさ感知センサー６２から外部の明るさに対応する信号の入力を受ける。明るさに対応する信号の供給を受けたゲイン調整部６６は、明るさに対応するようにゲイン値（階調数）を調整する。言い換えれば、ゲイン調整部６６は、外部の明るさがＰ１よりも暗い場合、広い階調範囲Ｔ１内で画像が表示されるようにし、外部の明るさがＰ２（＞Ｐ１）よりも明るい場合、狭い階調範囲Ｔ２（＜Ｔ１）内で画像が表示されるようにする。
【００７６】
これを詳しく説明すれば、先ず、ゲイン調整部６６は、数式１を用いて入力データに対応するゲインを求める。
【００７７】
（数１）
ｇａｉｎ＝ｂ／２５５×（階調数−１）
ここで、ｂはゲイン調整部６６に入力されるデータの階調値を示す。また、２５５は入力データから入力可能な最大階調値を意味する（ここでは説明の便宜のために２５５と設定した）。また、階調数は表現できる階調数を意味する。例えば、２５６の階調が表現できると共に現在入力されるデータの階調値が１であれば、ゲインは“１”に設定される。また、現在入力されるデータの階調値が２５５であれば、ゲインは“２５５”に設定される。
【００７８】
ここで、ゲイン調整部６６は、階調数を調整することで表現する階調範囲を拡張または縮小する。例えば、ゲイン調整部６６は、外部の明るさがＰ２よりも明るい場合には階調数をｇ２＝２５５と設定して“１”〜“２５５”のゲインを得、このゲイン値を用いて画像を表示する。また、ゲイン調整部６６は、外部の明るさがＰ１よりも暗い場合には階調数を高く設定、例えば、階調数をｇ１＝５１１と設定して“２”〜“５１１”のゲインを得る。このようにゲインの値が大きくなると、表現可能な階調の範囲も広くなり、広い階調範囲を用いて画像を表示することができる。ゲイン調整部６６は、かかる方法で外部の明るさに対応してゲインを調整することにより、最適輝度の画像がパネル５０に表示されるようにする。
【００７９】
一方、本発明では、少なくとも二つ以上の実施形態が同時に適用できる。例えば、階調数を増やすと共にリセットパルスの数を調整することにより、パネル５０に表示される画像の輝度を調節することができる。また、リセットパルスの数及びサステインパルスの数を調節することにより、パネル５０に表示される画像の輝度を調節することができる。
【図面の簡単な説明】
【００８０】
【図１】従来の３電極交流面放電型プラズマディスプレイパネルの放電セル構造を示す斜視図である。
【図２】プラズマディスプレイパネルの輝度加重値の一例を示す図である。
【図３】従来のプラズマディスプレイパネルの駆動装置を示す図である。
【図４】従来のプラズマディスプレイパネルのサブフィールドに印加される駆動波形を示す波形図である。
【図５】本発明の実施形態に係るプラズマディスプレイパネルの駆動装置を示す図である。
【図６】図５に示したタイミング制御部によって奇数番目のサブフィールドにのみリセットパルスが供給されることを示す図である。
【図７】図５に示したタイミング制御部によって奇数番目のサブフィールドにのみリセットパルスが供給されることを示す図である。
【図８】図５に示したタイミング制御部によって外部の明るさに対応してリセットパルスの電圧値が制御されることを示す図である。
【図９】図９ａ及び図９ｂは図５に示したタイミング制御部によって外部の明るさに対応してサステインパルスの数が制御されることを示す図である。
【図１０】本発明の他の実施形態に係るプラズマディスプレイパネルの駆動装置を示す図である。
【図１１】図１０に示したサブフィールドマッピング部に含まれたサブフィールドテーブルを示す図である。
【図１２】本発明のまた他の実施形態に係るプラズマディスプレイパネルの駆動装置を示す図である。
【図１】
2005165328.tif 000003
【図２】
2005165328.tif 000004
【図３】
2005165328.tif 000005
【図４】
2005165328.tif 000006
【図５】
2005165328.tif 000007
【図６】
2005165328.tif 000008
【図７】
2005165328.tif 000009
【図８】
2005165328.tif 000010
【図９】
2005165328.tif 000011
【図１０】
2005165328.tif 000012
【図１１】
2005165328.tif 000013
【図１２】
2005165328.tif 000014